(57)【要約】      （修正有）【課題】荷物を積み降ろしするために、ドアが開かれたときの映像、日付、時刻等を暗号化して記録保存し、権限を有した者だけが荷物を紛失した日付や時間、場所、荷物紛失の原因等の究明を迅速に行えるシステムを提供する。【解決手段】カメラで撮影した積み込み・積み降ろし中の荷物の映像を圧縮し、日付、時間、場所、車両ナンバー等荷物を特定できる情報を付加した上で暗号化してサーバ等のデータベースに保存する。上記付加した情報をキーとして、サーバ等のデータベースの映像データを検索し、紛失した荷物が含まれるであろう、荷物の映像データを抽出するシステムを提供する。【選択図】図１
2006217554.tif 000002
【特許請求の範囲】
【請求項１】
トラック等の車両にセンサを取り付け、荷物を積み込み・積み降ろしするドアの開放時に、トラック等の車両に搭載したカメラで、積み込み・積み降ろし中の荷物の映像を撮影することを特徴とする積み込み・積み降ろし荷物映像監視システム。
【請求項２】
撮影した荷物の映像データを圧縮し、荷物の積み込み・積み降ろしの日付、時間、車両ナンバー等荷物を特定できる情報を付加した上で、トラック等の内部に設置された記録媒体に保存することを特徴とする積み込み・積み降ろし荷物映像監視システム。
【請求項３】
トラック等の内部に設置された記録媒体、またはサーバ等のデータベースに入れる前に、映像データの暗号化を図り、セキュリティを確保することを特徴とする積み込み・積み降ろし荷物映像監視システム。
【請求項４】
紛失した荷物を積載したトラック等の車両ナンバーや荷物の積載日、紛失したと思われる時間帯、場所等をキーとして、サーバ等のデータベースの映像データを検索し、紛失した荷物が含まれるであろう、荷物の映像データを抽出することを特徴とする積み込み・積み降ろし荷物映像監視システム。
【発明の詳細な説明】
【技術分野】
【０００１】  本発明は、宅配便等におけるトラック等の車両への荷物の積み込み・積み降ろし間違いや積み込み・積み降ろし忘れ、輸送中のトラックに積載している荷物の盗難があった日付や時間、場所等を追跡し、荷物を紛失した原因を究明するシステムに関する。
【背景技術】
【０００２】  従来、トラック等に積載した輸送中の荷物の荷崩れや盗難を監視する方法のひとつとして、荷物の状態をカメラで撮影し、モニタで監視することが行われていた。【０００３】  中には荷物を積み降ろしするために、ドアが開かれたときの映像、日付、時刻を記録保存したり、パーキング中の車の後方の画像をＶＴＲに録画したりすることによって、荷物が盗難にあった場合、ＶＴＲに録画された画像を再生することにより、犯人の手掛かりを得るシステムもある。【０００４】  しかし、従来の方法には以下の欠点が存在する。
１映像の記録媒体がＶＴＲであり、探したい映像の検索に時間がかかる。
２ＶＴＲに記録したデータの暗号化を図ることができないため、誰にでも映像の閲覧やデータの消去、改ざんができてしまう。【０００５】
【特許文献１】特願２００１−１９４６１９
【特許文献２】特願平成４−３１３５６８
【発明の開示】
【発明が解決しようとする課題】
【０００６】  本発明は以上のような欠点に鑑み、車載カメラで撮った積み込み・積み降ろし中の荷物の映像データやその日付、時間、場所等を暗号化して記録・保存し、権限を有した者だけが荷物を紛失した日付や時間、場所、荷物紛失の原因等の究明を迅速に行えるシステムを提供することを目的としている。
【課題を解決するための手段】
【０００７】  上記目的を達成するために、本発明では下記手段により解決する。
１トラック等の車両にセンサを取り付け、荷物を積み込み・積み降ろしするドアの開放時に、トラック等の車両に搭載したカメラで、積み込み・積み降ろし中の荷物の映像を撮影する。
２撮影した荷物の映像データを圧縮し、荷物の積み込み・積み降ろしの日付、時間、車両ナンバー等荷物を特定できる情報を付加した上で、トラック等の内部に設置された記録媒体に保存する。
３トラック内の記録媒体に保存された映像データを、伝送または搬送の方法により、サーバ等のデータベースに保存する。
４トラック等の内部に設置された記録媒体、またはサーバ等のデータベースに入れる前に、映像データの暗号化を図り、セキュリティを確保する。
５紛失した荷物を積載したトラック等の車両ナンバーや荷物の積載日、紛失したと思われる時間帯、場所等をキーとして、サーバ等のデータベースの映像データを検索し、紛失した荷物が含まれるであろう、荷物の映像データを抽出する。
６抽出された荷物の映像データをモニタに出力し、目視により紛失した荷物の映像を特定する。
７荷物の映像から、荷物を紛失した日付や時間、場所、紛失の原因を究明する。
【発明の効果】
【０００８】  荷物を紛失した日付や時間、場所、紛失の原因がわかることから、紛失した荷物を探すことが容易になるとともに、荷物の紛失を減らすための対策を立てることが可能になる。【０００９】  また、本システムを搭載していること自体が、荷物の積み込み・積み降ろし者または第三者による盗難の防止や荷物の積み込み・積み降ろし者の確実な荷物の積み込み・積み降ろし意識の向上につながる。荷物の積み込み・積み降ろし者の積み込み・積み降ろし時の取り扱いが丁寧になり、荷物の破損事故も減少する。【００１０】  さらに、映像データを暗号化することによって、権限のない者からのアクセスを防止し、データベースに入れることで、映像データを高速に検索、抽出できるようになる。
【発明を実施するための最良の形態】
【００１１】  以下、図面に示す発明を実施するための最良の形態により、本発明を詳細に説明する。【００１２】  以下本発明を、図面を用いて詳細に説明する。図１は本発明に係わる積み込み・積み降ろし荷物映像監視システムの実施例を示す構成ブロック図である。【００１３】  図１において、１０１はトラックである。１０２は荷物の積み込み・積み降ろしをするために設けられたドア、１０３は積み込み・積み降ろしする荷物である。１０４は積み込み・積み降ろしをする荷物の映像を撮影するカメラ、１０５はドアが開かれた時にそれを感知するセンサである。【００１４】  １０６はカメラ１０４が撮影した映像を、映像データとして記録する外部記憶装置である。１０７はカメラ１０４が撮影した映像を、外部記憶装置１０６に映像データとして書き込むための装置である。【００１５】  １０８は外部記憶装置１０６から受け取った映像データを保存するサーバ、１０９はサーバ１０８にデータを入力する入力装置、１１０は映像を表示するモニタである。【００１６】  ここで、図１に示す実施例の動作を、図２を用いて説明する。図２は積み込み・積み降ろしする荷物の映像を撮影し、サーバに保存するまでを説明するフロー図である。【００１７】  図２中“２０１”において、本システムを作動させるときには、装置１０７に外部記憶装置１０６を取付ける。【００１８】  図２中“２０２”において、ドア１０２が開かれると、センサ１０５はドア１０２が開かれたことを感知する。【００１９】  図２中“２０３”において、センサ１０５は、ドア１０２が開かれたことを感知したら、カメラ１０４が作動し、積み込み・積み降ろしをする荷物の映像を撮影する。【００２０】  図２中“２０４”において、カメラ１０４は、装置１０７に映像データを送信し、装置１０７は、車両ナンバー、日付、時間等の付加、映像データの圧縮、データの暗号化を行い、外部記憶装置１０６に書き込む。【００２１】  図２中“２０５”において、サーバ１０８に外部記憶装置１０６の映像データをサーバ１０８に移すときは、図２中“２０６”に、そうでないときは図２中“２０２”に戻る。【００２２】  装置１０７から取外された外部記憶装置１０６は、サーバ１０８に取付けられ、図２中“２０６”において、サーバ１０８は外部記憶装置１０６から映像データを読み込み、場所情報等の付加を行い、データベースに書き込み、保存する。【００２３】  サーバ１０８は荷物の送り元情報、送り先情報（住所、氏名、荷物受取・配達時間等）の情報も管理するものとする。【００２４】  権限を有した者が紛失した荷物を探す場合は、紛失した荷物を積載したトラック等の車両ナンバーや荷物の積載日、紛失したと思われる時間帯、場所等を入力装置１０９から入力し、条件に該当する荷物の映像をモニタ１１０に映し出す。【００２５】  権限を有した者は、目視によりモニタ１１０に映っている荷物の映像の中から、紛失した荷物を探し出し、荷物を紛失した日付や時間、場所、紛失の原因究明等を行う。
【図面の簡単な説明】
【００２６】
【図１】本発明を実施するための最良の形態の構成図
【図２】積み込み・積み降ろしする荷物の映像をサーバに保存するまでを説明するフロー図
【図１】
2006217554.tif 000003
【図２】
2006217554.tif 000004